(57)【要約】  【課題】  予熱始動型の蛍光灯を警告点滅させる際の適切な消灯時間をもたらす。  【解決手段】  火災感知器(火災報知器)１の火災感知信号に基づいて予熱始動型の蛍光灯２を警告点滅させる照明器具３において、蛍光灯２の消灯時間(X sec)を(蛍光灯２の予熱始動時間(Z sec=0.5〜1.0 sec程度)＋10〜400msec)とした照明器具３である。また、別観点からいえば、火災感知器１の火災感知信号に基づいて予熱始動型の蛍光灯２を警告点滅させる照明器具３において、蛍光灯２の点灯回路(高周波点灯回路など)４を制御する制御部５による消灯制御時間(OFF指令とON指令の時間間隔=Y sec)を10〜400msecとした照明器具３である。そうすると、消灯時間(X sec)は、0.51〜1.4 sec程度となる。【選択図】  図３
2006100159.tif 000002
【特許請求の範囲】
【請求項１】
火災感知器の火災感知信号に基づいて予熱始動型の蛍光灯を警告点滅させる照明器具において、蛍光灯の消灯時間を(蛍光灯の予熱始動時間＋10〜400msec)とした照明器具。
【請求項２】
火災感知器の火災感知信号に基づいて予熱始動型の蛍光灯を警告点滅させる照明器具において、蛍光灯の点灯回路を制御する制御部による消灯制御時間を10〜400msecとした照明器具。
【発明の詳細な説明】
【技術分野】
【０００１】
本発明は、火災感知信号に基づいて予熱始動型の蛍光灯を警告点滅させる照明器具に関する。
【背景技術】
【０００２】
火災感知信号に基づいてキセノンランプ(冷陰極ランプ)を警告点滅させる照明装置は特許文献１により知られている。
【特許文献１】特開２００３−６８４８２号公報
【発明の開示】
【発明が解決しようとする課題】
【０００３】
しかし、家庭用としては予熱始動型(熱陰極型)の蛍光灯を用いた照明器具が適切であるため、火災感知信号に基づいて予熱始動型の蛍光灯を警告点滅させたい。この場合、蛍光灯の消灯時間を長めに設定すると不適切なため、視覚認識可能な範囲で消灯時間をできるだけ短くして平均光量をなるべく向上したいものである。本発明はこのような解決すべき課題を鑑み、予熱始動型の蛍光灯を警告点滅させる際の適切な消灯時間をもたらすことを目的とする。
【課題を解決するための手段】
【０００４】
本発明を要約すると、火災感知器の火災感知信号に基づいて予熱始動型の蛍光灯を警告点滅させる照明器具において、蛍光灯の消灯時間を(蛍光灯の予熱始動時間＋10〜400msec)とした照明器具である。また、別観点からいえば、火災感知器の火災感知信号に基づいて予熱始動型の蛍光灯を警告点滅させる照明器具において、蛍光灯の点灯回路を制御する制御部による消灯制御時間を10〜400msecとした照明器具である。
【発明の効果】
【０００５】
本発明によれば、家庭用として適切な予熱始動型の蛍光灯を用いる場合に、予熱始動時間が考慮された略最短の消灯時間が得られて平均光量を確保でき、また、消灯時間を短くし過ぎた場合に蛍光灯が点灯し続けて警告点滅にならないという弊害を的確に防止できる。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
図示の実施形態は、火災感知器(火災報知器)１の火災感知信号に基づいて予熱始動型の蛍光灯２を警告点滅させる照明器具３において、蛍光灯２の消灯時間(X sec)を(蛍光灯２の予熱始動時間(Z sec=0.5〜1.0 sec程度)＋10〜400msec)とした照明器具３である。また、別観点からいえば、火災感知器１の火災感知信号に基づいて予熱始動型の蛍光灯２を警告点滅させる照明器具３において、蛍光灯２の点灯回路(高周波点灯回路など)４を制御する制御部５による消灯制御時間(OFF指令とON指令の時間間隔=Y sec)を10〜400msecとした照明器具３である。そうすると、消灯時間(X sec)は、0.51〜1.4 sec程度となる。なお、図３では点灯時間を3.2secとしたが、2〜5sec程度でよい。
【０００８】
さらに詳述すれば、照明器具３は部屋の天井６に適宜手段で設置され、交流電源７が供給されることにより点灯回路４を介して蛍光灯２を点灯可能としており、また、豆球や発光ダイオードなどの補助灯８を点灯可能としている。蛍光灯２や補助灯８の点灯・消灯制御は、マイコン９に入力されるリモコン受光部１０や火災感知器１からの信号に応じて、マイコン９が指令することにより成される。なお、１１はリモコン受光部１０に対して図外の送信器から送信される赤外線によるリモコン信号である。また、マイコン９には、セットされた制御状態を交流電源７の停電時にも記憶可能なEEPROM１２が接続され、さらにまた、音声IC１３及びスピーカー１４が接続される。また、火災感知器１は煙感知型または熱感知型のものであり、照明器具３の上面から外側方向に延びたアーム１５を介して設けられている。そして、蛍光灯２などは照明器具３の下面に着脱可能な半透光性のグローブ１６で覆われている。なお、火災感知器１は、交流電源７の停電時にも正常に火災感知動作して警告ブザー音を鳴らすために電池で駆動されるのが好適である。
【０００９】
照明器具３はリモコン信号１１により蛍光灯２や補助灯８を点灯または消灯させる通常の機能を備え、さらに、火災感知器１が火災感知信号を発すれば火災感知器１自体のブザーも鳴るが、火災感知信号を受けたマイコン９により図３の点滅制御を点灯回路４を介して蛍光灯２に対して行う。その場合、ユーザーに異変を知らせるため、蛍光灯２を点滅することが肝要であるが、点滅制御はできるだけ光量を確保する意味から消灯時間をなるべく短くしたい。そこで、マイコン９によるOFF指令とON指令の間隔(Y sec)を10〜400 msecとし、蛍光灯２の予熱始動時間(Z sec=0.5〜1.0sec)を加算して、蛍光灯２の消灯時間(X sec)を略最短化した0.51〜1.4 sec程度としている。ここでさらに、消灯時間を短くしようとすると、OFF指令とON指令の間隔(Y sec)が0 secとなってしまうことにより、蛍光灯２が点灯し続けて警告点滅にならないという弊害を生じるものである。なお、警告点滅の総時間を2〜5分間程度として、その後は蛍光灯２を全光モードで連続点灯するとさらに好適である。また、警告点滅中にリモコン信号１１を送信すると、蛍光灯２が全光モードで連続点灯されると好都合である。
【００１０】
本実施形態によれば、家庭用として適切な予熱始動型の蛍光灯２を用いる場合に、予熱始動時間が考慮された略最短の消灯時間が得られて平均光量を確保でき、また、消灯時間を短くし過ぎた場合に蛍光灯２が点灯し続けて警告点滅にならないという弊害を的確に防止できる。
【図面の簡単な説明】
【００１１】
【図１】本発明の実施形態を示す回路ブロック図
【図２】同外観側面図
【図３】(A) 同火災感知動作を示すタイミング図、(B) 同一部拡大図
【符号の説明】
【００１２】
１  火災感知器(火災報知器)
２  予熱始動型の蛍光灯
３  照明器具
４  点灯回路
５  制御部
【図１】
2006100159.tif 000003
【図２】
2006100159.tif 000004
【図３】
2006100159.tif 000005